(57)【要約】【課題】従来技術における特定の欠点を可及的に広範に克服すること。【解決手段】風力発電装置（１００）の発電機（１）のステータ薄板積層体（１０）のためのセグメント薄板（１１）であって、リングセグメントの形状を有する本体薄板（１３）を備え、前記セグメント薄板（１１）は、第１の半径方向部分（１５）を有し、該第１の半径方向部分にはステータ巻線を受け入れるための複数の切抜部（２１）が設けられており、さらに前記セグメント薄板は、前記第１の半径方向部分（１５）に半径方向に隣接して第２の半径方向部分（１７）を有し、該第２の半径方向部分は、発電機（１）の磁気ヨークを形成し、当該セグメント薄板（１１）は、前記第２の半径方向部分（１７）に隣接して第３の半径方向部分（１９）を有し、該第３の半径方向部分は、発電機（１）のステータ支持構造体のセグメントを形成する。【選択図】  図４
2019527026.tif 000002
【特許請求の範囲】
【請求項１】
風力発電装置（１００）の発電機（１）のステータ薄板積層体（１０）のためのセグメント薄板（１１）であって、
リングセグメントの形状を有する本体薄板（１３）を備え、
前記セグメント薄板（１１）は、第１の半径方向部分（１５）を有し、該第１の半径方向部分にはステータ巻線を受け入れるための複数の切抜部（２１）が設けられており、
さらに前記セグメント薄板は、前記第１の半径方向部分（１５）に半径方向に隣接して第２の半径方向部分（１７）を有し、該第２の半径方向部分は、発電機（１）の磁気ヨークを形成し、
当該セグメント薄板（１１）は、前記第２の半径方向部分（１７）に隣接して第３の半径方向部分（１９）を有し、該第３の半径方向部分は、発電機（１）のステータ支持構造体のセグメントを形成する、
ことを特徴とするセグメント薄板。
【請求項２】
前記第３の半径方向部分（１９）内には複数の補強ストラット（２４，２５）が形成されており、前記補強ストラット（２４，２５）は、圧力、引張力およびせん断応力を吸収するように構成されている、請求項１に記載のセグメント薄板（１１）。
【請求項３】
前記第３の半径方向部分（１９）内には複数の貫通開口部（２３）が形成されており、当該貫通開口部は、対応する緊張要素を貫通案内するように構成されている、請求項１または２に記載のセグメント薄板（１１）。
【請求項４】
前記第３の半径方向部分（１９）内には複数の材料薄化部または材料切抜部（２７）が、補強ストラット（２４，２５）の間に配置されている、請求項１から３のいずれか一項に記載のセグメント薄板（１１）。
【請求項５】
前記補強ストラットは、非半径方向に配向された複数の第１のストラット（２４）を有する、請求項２から４のいずれか一項に記載のセグメント薄板（１１）。
【請求項６】
前記補強ストラットは、半径方向に配向された複数の第２のストラット（２５）を有する、請求項２から５のいずれか一項に記載のセグメント薄板（１１）。
【請求項７】
それぞれ隣接する第１のストラット（２４）は、互いに角度を成して配向されており、
前記貫通開口部（２３）は、それぞれ隣接する２つの第１のストラット（２４）の伸長方向の交点にそれぞれ配置されている、請求項５または６に記載のセグメント薄板（１１）。
【請求項８】
前記第２のストラット（２５）は、セグメント薄板（１１）の半径方向内側の方向に先細に構成されている、請求項６または７に記載のセグメント薄板（１１）。
【請求項９】
第１と第２の補強ストラット（２４，２５）の少なくともいくつかは、互いに合流する（２５ｂ）か、または互いに交差する（２５ｃ）よう構成される、請求項６から８のいずれか一項に記載のセグメント薄板（１１）。
【請求項１０】
風力発電装置（１００）の発電機（１）のステータ薄板積層体（１０）であって、
複数のセグメント薄板（１１）を備え、
該複数のセグメント薄板（１１）は一平面内に、これらが共通の一薄板リングを形成するように互いに配置されており、
前記複数のセグメント薄板（１１）は、前記形成された薄板リングに、これらが共にステータ薄板積層体（１０）を形成するように積層されており、
前記ステータ薄板積層体（１０）は、ステータ巻線を受け入れるための複数の溝が設けられた第１の半径方向部分（１５）を有し、前記溝は、前記セグメント薄板（１１）に設けられた切抜部（２１）によって形成されており、
さらに前記ステータ薄板積層体（１０）は、前記第１の半径方向部分（１５）に隣接して第２の半径方向部分（１７）を有し、該第２の半径方向部分は、発電機（１）の磁気ヨークを形成し、
当該ステータ薄板積層体（１０）は、前記第２の半径方向部分（１７）に隣接して第３の半径方向部分（１９）を有し、該第３の半径方向部分は、発電機（１）のステータ支持構造体のセグメントを形成する、ことを特徴とするステータ薄板積層体。
【請求項１１】
前記セグメント薄板（１１）は、請求項１から９のいずれか一項に従い構成されている、請求項１０に記載のステータ薄板積層体。
【請求項１２】
風力発電装置（１００）の発電機（１）、とりわけ緩慢に回転する同期リング発電機であって、
発電機ステータ（５）と、該発電機ステータ（５）に対して相対的に回転可能に支承された発電機ロータ（３）とを備え、
前記発電機ステータ（５）は少なくとも１つのステータ薄板積層体を有し、該ステータ薄板積層体には複数の溝が設けられており、前記溝にはステータ巻線が収容されており、
前記発電機ステータは、請求項１０または１１による少なくとも１つのステータ薄板積層体を有する、ことを特徴とする発電機。
【請求項１３】
風力発電装置（１００）、とりわけギヤレス型風力発電装置であって、
タワー（１０２）と、該タワーに回転可能に配置されたナセル（１０４）と、該ナセルに回転可能に支承されており、複数のロータブレード（１０８）および電気エネルギーを出力するための発電機（１）を備えるハブ（１０６）とを有し、
前記発電機は、前記ハブに接続された発電機ロータ（３）と、ナセルに接続された発電機ステータ（５）とを有し、
前記発電機は、請求項１２にしたがって構成されている、ことを特徴とする風力発電装置。
【発明の詳細な説明】
【技術分野】
【０００１】
本発明は、風力発電装置の発電機のステータ薄板積層体のためのセグメント薄板に関し、リングセグメントの形状を有する本体薄板を備える。ここでセグメント薄板は、ステータ巻線を受け入れるための切抜部が設けられた第１の半径方向部分と、この第１の半径方向部分に隣接する第２の半径方向部分とを有し、第２の半径方向部分は、発電機の磁気ヨークのセグメントを形成する。本発明はさらに、ステータ薄板積層体、並びに風力発電装置の発電機および風力発電装置に関する。
【背景技術】
【０００２】
風力発電装置は、一般的に公知である。風力発電装置は、風エネルギーを発電機によって電気エネルギーに変換するために使用される。この課題に対する主要構成要素は風力発電装置内の発電機である。発電機は、発電機ステータと、これに対して相対的に周回する発電機ロータとを有する。発電機ロータは「回転子」とも称される。本発明は、風力発電装置、および内部回転子を備える発電機にも、外部回転子にも関する。ここで、内部回転子では発電機はリング形状のステータの内部で回転し、一方、外部回転子では発電機はステータを中心に外部で回転する。
【０００３】
発電機はステータ巻線を有し、ステータ巻線内では周回する発電機ロータによって電圧が誘導される。ステータ巻線は、溝内に収容されており、これらの溝はさらにステータ、例えばステータリングに設けられている。
【０００４】
ステータ巻線を受け入れ、１つまたは複数のステータ薄板積層体から構成された構成部品は一般的に公知である。リングになるよう互いに重ねられ、薄板積層体を形成するために互いに積層されるステータ薄板積層体がセグメント薄板によって形成される。
【０００５】
ここで、個々の薄板の機械的不安定性は、薄板を積層体になるよう積層し、互いに接続することによって従来技術では部分的にだけ補償することができた。ステータには、これまでステータ薄板積層体を支持するために、通常は溶接構成群または鋳造構成群としてステータ薄板積層体を補強する支持構造体を常に設けなければならなかった。
【０００６】
この状況は、風力発電装置製造業者側での製造範囲（Fertigungstiefe）をある程度制限し、並びに比較的高いコストおよび製造費用を引き起こす。これは、改善に値すると見なされていた。
【０００７】
ドイツ特許商標庁は、本願の優先出願において以下の従来技術を調査した：ＤＥ１０２００８０６３７８３Ａ１およびＥＰ２４２４０７７Ａ２。
【先行技術文献】
【特許文献】
【０００８】
【特許文献１】ＤＥ１０２００８０６３７８３Ａ１
【特許文献２】ＥＰ２４２４０７７Ａ２
【発明の概要】
【発明が解決しようとする課題】
【０００９】
したがって本発明の基礎とする課題は、従来技術における前記欠点を可及的に広範に克服することである。とりわけ本発明が基礎とする課題は、風力発電装置の発電機ステータの機械的完全性を損なわないようにして、風力発電装置に対する製造コストおよび出費を低減する可能性を見出すことである。
【課題を解決するための手段】
【００１０】
本発明は、その基礎とする課題を、（第１の視点において）請求項１の特徴を備えるセグメント薄板を提案することにより解決する。とりわけ本発明は、セグメント薄板が第２の半径方向部分に隣接して第３の半径方向部分を有し、この第３の半径方向部分が発電機のステータ支持構造体のセグメントを形成することを提案する。とりわけ第３の半径方向部分は、さらなるセグメント薄板の第３の半径方向部分との複合結合状態において発電機のステータ支持構造体を形成するように構成されている。ここで本発明は、セグメント薄板から形成されるステータ薄板積層体が自立式であることにより、すなわち機械的完全性を保証するために外部の付属構造部材を必要としないことにより、付加的な外部構造を不要にするという考えにしたがう。この目的のため、セグメント薄板は、磁気ヨークを形成する領域に隣接して半径方向に拡張（延伸）され、そしてそれらのセグメント薄板から形成された薄板リングの安定性を高める支持構造（体）を有する。
【発明を実施するための形態】
【００１１】
本発明のセグメント薄板は、ステータ−支持構造体に関して有利にはさらに発展されており、第３の半径方向部分には複数の補強ストラットが形成されている。これら補強ストラットは、圧力、引張力およびせん断応力を吸収するように構成されている。
【００１２】
さらに好ましくは第３の半径方向部分には複数の貫通開口部が形成されており、これらの貫通開口部は対応する緊張（締め付け）要素を貫通案内するように構成されている。貫通開口部は、好ましくは２つまたは複数の互いに離間した円弧ラインに沿って配置されており、これらの円弧ラインは好ましくは同心に構成されている。特に好ましくは、第１の円弧ラインと第２の円弧ラインを備える一実施形態では、第１の円弧ライン上にある貫通開口部は、第２の円弧ライン上にある貫通開口部に対して周方向にずらして配置されている。さらに好ましくは貫通開口部は、それぞれの円弧ライン上に互いに等間隔で配置されている。この配置構成は以下の利点を有する：セグメント薄板は、互いに重なり合って積層することができ、これにより一つのリング平面内で互いに隣接するセグメント薄板の間の「継ぎ目箇所」を互いにずらすことができる。同時に等間隔に、とりわけ２列または複数列に貫通開口部を配置することにより、重なり合うセグメント薄板を軸方向に緊張（締め付け圧接）させることができる。これにより形成された薄板間の摩擦付着力が、ステータ薄板積層体の支持力（ないし負荷抵抗能力  Tragfaehigkeit）を有意に高め、風力発電装置の稼働中に放出される音響振動の減衰特性を改善するのに寄与する。
【００１３】
緊張要素は、互いに積層されたセグメント薄板を堅固に互いに結合するように構成されている。好ましくは、緊張要素は、ねじ付きロッド、ネジ、緊張ワイヤ等の形態に構成されている。好ましくは、緊張の際に端部側では緊張要素に圧力分散要素が配置されており、この圧力分散要素は、緊張力をセグメント薄板の可及的に大きな表面に分散するように構成されている。圧力分散要素は、例えばディスク、リング、リングセグメント、スリーブ等として構成されている。
【００１４】
さらに好ましくは、第３の半径方向部分には複数の材料薄化部または材料切抜部（Aussparungen）が（複数）補強ストラットの間に配置されている。材料薄化部ないし切欠（ないし切抜）部（ausnehmungen）は、好ましくは重量を軽減する作用を有する。
【００１５】
特に好ましくは、補強ストラットは第３の半径方向部分内で、第１および／または第２の半径方向部分の本体薄板と同じ材料厚で形成されている。補強ストラットの構造は、好ましくはレーザ切断、ジェット水流切断、型押し（圧刻）、または特に好ましくは打ち抜きによって得られる。
【００１６】
特に好ましくは、第１の半径方向部分における切抜部、貫通開口部および第３の半径方向部分における補強ストラットは、それぞれ本体薄板の打ち抜きによって形成されている。ここで補強ストラットの場合、形成すべきストラットに隣接する材料領域が打ち抜かれ、または型押しされる。
【００１７】
セグメント薄板の好ましい一構成では、補強ストラットは複数の第１のストラットを有し、これらのストラットは非半径方向に配向されている。ここで非半径方向とは、セグメント薄板が中央軸の周囲（中央軸を中心として）で湾曲されており、第１のストラットはそれぞれ中央軸を通って延在する半径と、０度超の角度を成すと理解される。好ましくは第１のストラットはそれぞれ、交互に変化する角度により非半径方向に配向されており、骨組み状（ないし格子組み状）fachwerkartig）の構造を形成する。
【００１８】
さらに好ましくは補強ストラットは、半径方向に配向された複数の第２のストラットを有する。半径方向の配向とは、ここではセグメント薄板の中央軸に関連して理解される。
【００１９】
特に好ましい一実施形態では、それぞれ隣接する（複数の）第１のストラットは互いに角度を成して配向されており、貫通開口部は、それぞれ隣接する２つの第１のストラットの伸長方向の交点にそれぞれ存在する。言い替えると、貫通開口部は、隣接する第１のストラット（複数）の間の角度の角度原点に存在する。
【００２０】
さらなる好ましい一実施形態では、第２のストラットは、中央軸の方向ないしセグメント薄板の半径方向内側の方向に先細に構成されている。
【００２１】
好ましくは第１と第２のストラットは、少なくともいくつかの第１と第２のストラットが互いに合流するように、または互いに交差するように構成されている。このようにして骨組み状の支持構造体が実現され、この支持構造体は、小さな重量を高い機械的に耐荷重性と結び付ける。
【００２２】
とりわけ、ストラットの間に切欠部（複数）が形成されている実施形態では、ストラットは同時に冷却リブとして、切欠部は冷却チャネルとして作用する。これにより、ステータ巻線を収容する溝から機械支持体の方向への改善された熱放出が達成される。
【００２３】
本発明を上記では、セグメント薄板を参照して説明した。しかしさらなる視点において本発明は、風力発電装置のためのステータ薄板積層体にも関する。本発明は、（第２の視点において）その基礎となる課題を、このようなステータ薄板積層体において、これを請求項１０の特徴により構成することによって解決する。本発明は、ステータ薄板積層体が複数のセグメント薄板を有することを提案する。ここで複数のセグメント薄板は一平面内に、これらが共に１つの薄板リングを形成するように互いに配置されており、複数のセグメント薄板は、形成された薄板リングにおいて、これらが共にステータ薄板積層体を形成するように積層される。ここでステータ薄板積層体は第１の半径方向部分を有し、この第１の半径方向部分にはステータ巻線を受け入れるための複数の溝が設けられており、前記溝は、セグメント薄板に設けられた切抜部によって形成されており、第１の半径方向部分に隣接して第２の半径方向部分を有し、この第２の半径方向部分は発電機の磁気ヨークを形成する。第２の半径方向部分に隣接してステータ薄板積層体は第３の半径方向部分を有し、この第３の半径方向部分は発電機のステータ支持構造体を形成する。
【００２４】
本発明は、セグメント薄板（複数）が前記好適な実施形態のいずれか１つにしたがって構成されていることによってさらに形成される。
【００２５】
本発明を上記のように、ステータ薄板積層体をさらに参照して説明したので、以下では本発明による発電機について説明する。
【００２６】
本発明の（第３の視点において）発電機は、冒頭に示した基礎となる課題を、発電機が請求項１２の特徴にしたがって構成されていることによって解決する。
【００２７】
したがって本発明は、風力発電装置の発電機、とりわけ緩慢に回転する同期型再生式発電装置（Regenerator）を提案する。これは、発電機ステータ、発電機ステータに対して相対的に回転可能に支承された発電機ロータ、および発電機ステータを風力発電装置に固定するための機械的支持体を有し、発電機ステータは少なくとも１つのステータ薄板積層体を有し、このステータ薄板積層体には複数の溝が設けられており、溝にはステータ巻線が収容されている。発電機ステータは、前記好ましい実施形態の１つにしたがって構成された少なくとも１つのステータ薄板積層体を有し、対応して本発明のセグメント薄板を含む。緩慢に回転する発電機とは、本発明では、５０回転／分以下の公称（定格）回転数の発電機であると理解される。
【００２８】
最後に本発明は、さらなる一視点において、風力発電装置、とりわけ変速ギヤレス型風力発電装置に関し、風力発電装置は、タワー、タワー上に回転可能に配置されたナセル、ナセルに配置された機械的支持体、複数のロータブレード、とりわけ３つのロータブレードを備え、かつナセルに回転可能に支承されたハブ、および電気エネルギーを提供するための発電機を有し、発電機は、ハブと接続された発電機ロータ、および機械支持体と接続された発電機ステータを有する。
【００２９】
本発明の風力発電装置は、その基礎となる課題を、発電機が前述の好ましい実施形態の１つにしたがって構成されていることにより解決する。
【００３０】
発電機は好ましくは、内部回転子型発電機または外部回転子型発電機のいずれかとして構成されている。発電機が内部回転子型発電機の場合、ステータ薄板積層体ないしセグメント薄板の第１の半径方向部分は半径方向で内側のリング領域であり、これに対して第３の半径方向部分は半径方向で外側のリング領域である。外部回転子型発電機では、ちょうどその反対である。
【００３１】
本発明を、以下、添付図面を参照し、好ましい一実施例に基づいて詳細に説明する。
【図面の簡単な説明】
【００３２】
【図１】一風力発電装置の概略的斜視図である。
【図２】図１の風力発電装置のナセルの概略的部分切開図である。
【図３】図２の一部分の拡大図である。
【図４】図１から３の風力発電装置の発電機のステータ薄板積層体のためのセグメント薄板の概略的平面図である。
【実施例】
【００３３】
図１は、タワー１０２とナセル１０４を備える一風力発電装置１００を示す。ナセル１０４には、３つのロータブレード１０８とスピナ１１０を備えるロータ１０６が配置されている。ロータ１０６は、運転中、風により回転運動され、これによりナセル１０４内の発電機１（図２）を駆動する。
【００３４】
ナセル１０４は、図２には断面図として図示されている。ナセル１０４は、回転可能にタワー１０２に取り付けられており、アジマス駆動部１１２によって一般的に公知のように駆動接続されている。ナセル１０４には機械支持体１１０が公知のように配置されており、機械支持体は軸ジャーナル１１４を支持する。
【００３５】
発電機１は発電機ステータ５を有し、この発電機ステータは、軸ジャーナル１１４によってナセル１０４内で機械支持体１１０に固定されている。本発明により排除されない別の構成可能性では、発電機ステータ５を機械支持体１１０に直接、またはナセル１０４の相応の構成部材に接続する。
【００３６】
図２の発電機１は、外部回転子として構想設計された発電機ロータ３を有する。本発明の範囲から排除されない代替の構成可能性では、例えば内部回転子として構成された発電機ロータを設けることもできる。
【００３７】
発電機ロータ３は、ハブ１０６と相対回動不能に接続されている。発電機ステータ５の詳細な構造は図３に示されている。発電機５はステータリング９を有する。ステータリング９の外側において、リングスリットによりこれから離間して発電機ロータ３が回転する。ステータリング９は、２つの支持リング７によってステータ受け部に固定されている。ステータ受け部は、さらに軸ジャーナル１１４にねじ留めされている。機械支持体におけるステータ５のための別の固定可能性も同様に本発明の範囲内である。
【００３８】
支持リング７は、比較的薄肉の薄板であり、ステータリング９の荷重負荷能力および機械的剛性に実質的に影響を与えない。その代わりにステータリング９は自立式に設計されている。
【００３９】
ステータリング９は複数のセグメント薄板１１から形成されており、これらセグメント薄板は薄板リング１２に互いに整列されており、少なくとも１つのステータ薄板積層体１０が形成されるように互いに積層される。
【００４０】
本発明による一セグメント薄板の構造が図４に示されている。
【００４１】
図４に示したセグメント薄板１１は、薄板本体１３を有する。セグメント薄板１１はリングセグメント形状に構成されている。すなわち、中央軸（図示せず）を中心に湾曲された円弧形状の経過を有する。セグメント薄板１１は、図４では外部回転子（形式の発電機）のためのセグメント薄板として図示されており、第１の半径方向部分１５を有し、これには複数の切抜部２１が設けられている。切抜部２１は、ステータ巻線を受け入れるように構成されている。
【００４２】
第１の半径方向部分１５に隣接してセグメント薄板１１は第２の半径方向部分１７を有する。この第２の半径方向部分は、発電機ステータ５（図１から３）の磁気ヨークのセグメント（円弧部分）を形成する。
【００４３】
磁気ヨークは、磁気的帰還回路（magnetischer Ruecken）とも称される。第２の半径方向部分１７に隣接してセグメント薄板１１の構造は、第３の半径方向部分１９だけ拡張されている。第３の半径方向部分１９は、緊張手段を貫通案内するために複数の貫通開口部２３を有する。前記緊張手段は、例えばねじ付きロッド、ネジ、緊張ワイヤ等である。
【００４４】
第３の半径方向部分１９内には複数の補強ストラット２４，２５が配置されており、これらの補強ストラットはセグメント薄板１１を補強し、取り付け状態でステータ薄板積層体１０並びにステータリング９を補強して、これ自体に荷重負荷能力を与える（耐荷重性にする）。補強ストラット２４，２５は複数の第１のストラット２４を有し、これらは非半径方向（半径方向に交叉する方向）に配向されている。第１のストラット２４は、それぞれ半径Ｒ１，Ｒ２と角度α、βを成す。角度αは、角度βと等しい値にすることができる。
【００４５】
第２のストラット２５は、第１のストラット２４とは異なり半径方向に配向されている。好ましくは第２のストラット２５は、（図示しない）中央軸線の方向に先細になっている。第１（第２の誤り）のストラット２５には、少なくとも１つの第１のストラット２４に合流する少なくともいくつかのストラット２５ｂと、それぞれ少なくとも１つの第１のストラット２４と交差するいくつかのストラット２５ｃが含まれる。
【００４６】
特に好ましい一構成では、ストラット２４，２５は、本体薄板１３から複数の切抜部２７を打ち抜くことにより形成されている。好ましくは切抜部２１も、貫通開口部２３および（ストラット間の）切抜部２７も、本体薄板１３からの打ち抜きによって切り取られている。
【００４７】
貫通開口部２３は、好ましくはストラット２４の角度α、βの角度原点にあるか、あるいはそれぞれ隣接する２つの第１のストラット２４の伸長方向（延長線）の交点と一致して配向されている。
【００４８】
図１から４に示された構成は、外部回転子を備える発電機１を明示的に意図したものであるが、前に外部回転子を参照して説明したのと同じ基本原理にしたがう、内部回転子を備える発電機も本発明の範囲内に同様に含まれるものと理解されるべきである。しかしこの場合、ステータ巻線を受け入れるための切抜部２１を有する第１の半径方向部分１５は、半径方向外側ではなく、半径方向内側としてセグメント薄板１１に配置される。第２および第３の半径方向部分に対しても相応のことが当てはまる。
【図１】
2019527026.tif 000003
【図２】
2019527026.tif 000004
【図３】
2019527026.tif 000005
【図４】
2019527026.tif 000006
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
風力発電装置（１００）の発電機（１）のステータ薄板積層体（１０）のためのセグメント薄板（１１）であって、
リングセグメントの形状を有する本体薄板（１３）を備え、
前記セグメント薄板（１１）は、第１の半径方向部分（１５）を有し、該第１の半径方向部分にはステータ巻線を受け入れるための複数の切抜部（２１）が設けられており、
さらに前記セグメント薄板は、前記第１の半径方向部分（１５）に半径方向に隣接して第２の半径方向部分（１７）を有し、該第２の半径方向部分は、発電機（１）の磁気ヨークを形成し、
当該セグメント薄板（１１）は、前記第２の半径方向部分（１７）に隣接して第３の半径方向部分（１９）を有し、該第３の半径方向部分は、発電機（１）のステータ支持構造体のセグメントを形成する、
ことを特徴とするセグメント薄板。
【請求項２】
前記第３の半径方向部分（１９）内には複数の補強ストラット（２４，２５）が形成されており、前記補強ストラット（２４，２５）は、圧力、引張力およびせん断応力を吸収するように構成されている、請求項１に記載のセグメント薄板（１１）。
【請求項３】
前記第３の半径方向部分（１９）内には複数の貫通開口部（２３）が形成されており、当該貫通開口部は、対応する緊張要素を貫通案内するように構成されている、請求項１または２に記載のセグメント薄板（１１）。
【請求項４】
前記第３の半径方向部分（１９）内には複数の材料薄化部または材料切抜部（２７）が、補強ストラット（２４，２５）の間に配置されている、請求項１から３のいずれか一項に記載のセグメント薄板（１１）。
【請求項５】
前記補強ストラットは、非半径方向に配向された複数の第１のストラット（２４）を有する、請求項２から４のいずれか一項に記載のセグメント薄板（１１）。
【請求項６】
前記補強ストラットは、半径方向に配向された複数の第２のストラット（２５）を有する、請求項２から５のいずれか一項に記載のセグメント薄板（１１）。
【請求項７】
それぞれ隣接する第１のストラット（２４）は、互いに角度を成して配向されており、
前記貫通開口部（２３）は、それぞれ隣接する２つの第１のストラット（２４）の伸長方向の交点にそれぞれ配置されている、請求項５または６に記載のセグメント薄板（１１）。
【請求項８】
前記第２のストラット（２５）は、セグメント薄板（１１）の半径方向内側の方向に先細に構成されている、請求項６または７に記載のセグメント薄板（１１）。
【請求項９】
第１と第２の補強ストラット（２４，２５）の少なくともいくつかは、互いに合流する（２５ｂ）か、または互いに交差する（２５ｃ）よう構成される、請求項６から８のいずれか一項に記載のセグメント薄板（１１）。
【請求項１０】
風力発電装置（１００）の発電機（１）のステータ薄板積層体（１０）であって、
複数のセグメント薄板（１１）を備え、
該複数のセグメント薄板（１１）は一平面内に、これらが共通の一薄板リングを形成するように互いに配置されており、
前記複数のセグメント薄板（１１）は、前記形成された薄板リングに、これらが共にステータ薄板積層体（１０）を形成するように積層されており、
前記ステータ薄板積層体（１０）は、ステータ巻線を受け入れるための複数の溝が設けられた第１の半径方向部分（１５）を有し、前記溝は、前記セグメント薄板（１１）に設けられた切抜部（２１）によって形成されており、
さらに前記ステータ薄板積層体（１０）は、前記第１の半径方向部分（１５）に隣接して第２の半径方向部分（１７）を有し、該第２の半径方向部分は、発電機（１）の磁気ヨークを形成し、
当該ステータ薄板積層体（１０）は、前記第２の半径方向部分（１７）に隣接して第３の半径方向部分（１９）を有し、該第３の半径方向部分は、発電機（１）のステータ支持構造体のセグメントを形成する、ことを特徴とするステータ薄板積層体。
【請求項１１】
前記セグメント薄板（１１）は、請求項１から９のいずれか一項に従い構成されている、請求項１０に記載のステータ薄板積層体。
【請求項１２】
風力発電装置（１００）の発電機（１）であって、
発電機ステータ（５）と、該発電機ステータ（５）に対して相対的に回転可能に支承された発電機ロータ（３）とを備え、
前記発電機ステータ（５）は少なくとも１つのステータ薄板積層体を有し、該ステータ薄板積層体には複数の溝が設けられており、前記溝にはステータ巻線が収容されており、
前記発電機ステータは、請求項１０または１１による少なくとも１つのステータ薄板積層体を有する、ことを特徴とする発電機。
【請求項１３】
風力発電装置（１００）であって、
タワー（１０２）と、該タワーに回転可能に配置されたナセル（１０４）と、該ナセルに回転可能に支承されており、複数のロータブレード（１０８）および電気エネルギーを出力するための発電機（１）を備えるハブ（１０６）とを有し、
前記発電機は、前記ハブに接続された発電機ロータ（３）と、ナセルに接続された発電機ステータ（５）とを有し、
前記発電機は、請求項１２にしたがって構成されている、ことを特徴とする風力発電装置。
【手続補正２】
【補正対象書類名】明細書
【補正対象項目名】全文
【補正方法】変更
【補正の内容】
【発明の詳細な説明】
【技術分野】
【０００１】
本発明は、風力発電装置の発電機のステータ薄板積層体のためのセグメント薄板に関し、リングセグメントの形状を有する本体薄板を備える。ここでセグメント薄板は、ステータ巻線を受け入れるための切抜部が設けられた第１の半径方向部分と、この第１の半径方向部分に隣接する第２の半径方向部分とを有し、第２の半径方向部分は、発電機の磁気ヨークのセグメントを形成する。本発明はさらに、ステータ薄板積層体、並びに風力発電装置の発電機および風力発電装置に関する。
【背景技術】
【０００２】
風力発電装置は、一般的に公知である。風力発電装置は、風エネルギーを発電機によって電気エネルギーに変換するために使用される。この課題に対する主要構成要素は風力発電装置内の発電機である。発電機は、発電機ステータと、これに対して相対的に周回する発電機ロータとを有する。発電機ロータは「回転子」とも称される。本発明は、風力発電装置、および内部回転子を備える発電機にも、外部回転子にも関する。ここで、内部回転子では発電機はリング形状のステータの内部で回転し、一方、外部回転子では発電機はステータを中心に外部で回転する。
【０００３】
発電機はステータ巻線を有し、ステータ巻線内では周回する発電機ロータによって電圧が誘導される。ステータ巻線は、溝内に収容されており、これらの溝はさらにステータ、例えばステータリングに設けられている。
【０００４】
ステータ巻線を受け入れ、１つまたは複数のステータ薄板積層体から構成された構成部品は一般的に公知である。リングになるよう互いに重ねられ、薄板積層体を形成するために互いに積層されるステータ薄板積層体がセグメント薄板によって形成される。
【０００５】
ここで、個々の薄板の機械的不安定性は、薄板を積層体になるよう積層し、互いに接続することによって従来技術では部分的にだけ補償することができた。ステータには、これまでステータ薄板積層体を支持するために、通常は溶接構成群または鋳造構成群としてステータ薄板積層体を補強する支持構造体を常に設けなければならなかった。
【０００６】
この状況は、風力発電装置製造業者側での製造範囲（Fertigungstiefe）をある程度制限し、並びに比較的高いコストおよび製造費用を引き起こす。これは、改善に値すると見なされていた。
【０００７】
ドイツ特許商標庁は、本願の優先出願において以下の従来技術を調査した：ＤＥ１０２００８０６３７８３Ａ１およびＥＰ２４２４０７７Ａ２。
【先行技術文献】
【特許文献】
【０００８】
【特許文献１】ＤＥ１０２００８０６３７８３Ａ１
【特許文献２】ＥＰ２４２４０７７Ａ２
【発明の概要】
【発明が解決しようとする課題】
【０００９】
したがって本発明の基礎とする課題は、従来技術における前記欠点を可及的に広範に克服することである。とりわけ本発明が基礎とする課題は、風力発電装置の発電機ステータの機械的完全性を損なわないようにして、風力発電装置に対する製造コストおよび出費を低減する可能性を見出すことである。
【課題を解決するための手段】
【００１０】
本発明は、その基礎とする課題を、（第１の視点において）請求項１の特徴を備えるセグメント薄板を提案することにより解決する。とりわけ本発明は、セグメント薄板が第２の半径方向部分に隣接して第３の半径方向部分を有し、この第３の半径方向部分が発電機のステータ支持構造体のセグメントを形成することを提案する。とりわけ第３の半径方向部分は、さらなるセグメント薄板の第３の半径方向部分との複合結合状態において発電機のステータ支持構造体を形成するように構成されている。ここで本発明は、セグメント薄板から形成されるステータ薄板積層体が自立式であることにより、すなわち機械的完全性を保証するために外部の付属構造部材を必要としないことにより、付加的な外部構造を不要にするという考えにしたがう。この目的のため、セグメント薄板は、磁気ヨークを形成する領域に隣接して半径方向に拡張（延伸）され、そしてそれらのセグメント薄板から形成された薄板リングの安定性を高める支持構造（体）を有する。
本発明の第１の視点において、
風力発電装置の発電機のステータ薄板積層体のためのセグメント薄板が提供される。該セグメント薄板は、
リングセグメントの形状を有する本体薄板を備え、
前記セグメント薄板は、第１の半径方向部分を有し、該第１の半径方向部分にはステータ巻線を受け入れるための複数の切抜部が設けられており、
さらに前記セグメント薄板は、前記第１の半径方向部分に半径方向に隣接して第２の半径方向部分を有し、該第２の半径方向部分は、発電機の磁気ヨークを形成し、
当該セグメント薄板は、前記第２の半径方向部分に隣接して第３の半径方向部分を有し、該第３の半径方向部分は、発電機のステータ支持構造体のセグメントを形成する。
本発明の第２の視点において、
風力発電装置の発電機のステータ薄板積層体が提供される。該ステータ薄板積層体は、複数のセグメント薄板を備え、
該複数のセグメント薄板は一平面内に、これらが共通の一薄板リングを形成するように互いに配置されており、
前記複数のセグメント薄板は、前記形成された薄板リングに、これらが共にステータ薄板積層体を形成するように積層されており、
前記ステータ薄板積層体は、ステータ巻線を受け入れるための複数の溝が設けられた第１の半径方向部分を有し、前記溝は、前記セグメント薄板に設けられた切抜部によって形成されており、
さらに前記ステータ薄板積層体は、前記第１の半径方向部分に隣接して第２の半径方向部分を有し、該第２の半径方向部分は、発電機の磁気ヨークを形成し、
当該ステータ薄板積層体は、前記第２の半径方向部分に隣接して第３の半径方向部分を有し、該第３の半径方向部分は、発電機のステータ支持構造体のセグメントを形成する。
本発明の第３の視点において、
風力発電装置の発電機、とりわけ緩慢に回転する同期リング発電機が提供される。該発電機は、
発電機ステータと、該発電機ステータに対して相対的に回転可能に支承された発電機ロータとを備え、
前記発電機ステータは少なくとも１つのステータ薄板積層体を有し、該ステータ薄板積層体には複数の溝が設けられており、前記溝にはステータ巻線が収容されており、
前記発電機ステータは、第２の視点による少なくとも１つのステータ薄板積層体を有する。
本発明の第４の視点において、
風力発電装置、とりわけギヤレス型風力発電装置が提供される。該風力発電装置は、
タワーと、該タワーに回転可能に配置されたナセルと、該ナセルに回転可能に支承されており、複数のロータブレードおよび電気エネルギーを出力するための発電機を備えるハブとを有し、
前記発電機は、前記ハブに接続された発電機ロータと、ナセルに接続された発電機ステータとを有し、
前記発電機は、第２の視点にしたがって構成されている。
なお、特許請求の範囲に付記した図面参照符号は専ら発明の理解を助けるためのものに過ぎず、本発明を図示の態様に限定することは意図していない。
【発明を実施するための形態】
【００１１】
本発明のセグメント薄板は、ステータ−支持構造体に関して有利にはさらに発展されており、第３の半径方向部分には複数の補強ストラットが形成されている。これら補強ストラットは、圧力、引張力およびせん断応力を吸収するように構成されている。
【００１２】
さらに好ましくは第３の半径方向部分には複数の貫通開口部が形成されており、これらの貫通開口部は対応する緊張（締め付け）要素を貫通案内するように構成されている。貫通開口部は、好ましくは２つまたは複数の互いに離間した円弧ラインに沿って配置されており、これらの円弧ラインは好ましくは同心に構成されている。特に好ましくは、第１の円弧ラインと第２の円弧ラインを備える一実施形態では、第１の円弧ライン上にある貫通開口部は、第２の円弧ライン上にある貫通開口部に対して周方向にずらして配置されている。さらに好ましくは貫通開口部は、それぞれの円弧ライン上に互いに等間隔で配置されている。この配置構成は以下の利点を有する：セグメント薄板は、互いに重なり合って積層することができ、これにより一つのリング平面内で互いに隣接するセグメント薄板の間の「継ぎ目箇所」を互いにずらすことができる。同時に等間隔に、とりわけ２列または複数列に貫通開口部を配置することにより、重なり合うセグメント薄板を軸方向に緊張（締め付け圧接）させることができる。これにより形成された薄板間の摩擦付着力が、ステータ薄板積層体の支持力（ないし負荷抵抗能力  Tragfaehigkeit）を有意に高め、風力発電装置の稼働中に放出される音響振動の減衰特性を改善するのに寄与する。
【００１３】
緊張要素は、互いに積層されたセグメント薄板を堅固に互いに結合するように構成されている。好ましくは、緊張要素は、ねじ付きロッド、ネジ、緊張ワイヤ等の形態に構成されている。好ましくは、緊張の際に端部側では緊張要素に圧力分散要素が配置されており、この圧力分散要素は、緊張力をセグメント薄板の可及的に大きな表面に分散するように構成されている。圧力分散要素は、例えばディスク、リング、リングセグメント、スリーブ等として構成されている。
【００１４】
さらに好ましくは、第３の半径方向部分には複数の材料薄化部または材料切抜部（Aussparungen）が（複数）補強ストラットの間に配置されている。材料薄化部ないし切欠（ないし切抜）部（ausnehmungen）は、好ましくは重量を軽減する作用を有する。
【００１５】
特に好ましくは、補強ストラットは第３の半径方向部分内で、第１および／または第２の半径方向部分の本体薄板と同じ材料厚で形成されている。補強ストラットの構造は、好ましくはレーザ切断、ジェット水流切断、型押し（圧刻）、または特に好ましくは打ち抜きによって得られる。
【００１６】
特に好ましくは、第１の半径方向部分における切抜部、貫通開口部および第３の半径方向部分における補強ストラットは、それぞれ本体薄板の打ち抜きによって形成されている。ここで補強ストラットの場合、形成すべきストラットに隣接する材料領域が打ち抜かれ、または型押しされる。
【００１７】
セグメント薄板の好ましい一構成では、補強ストラットは複数の第１のストラットを有し、これらのストラットは非半径方向に配向されている。ここで非半径方向とは、セグメント薄板が中央軸の周囲（中央軸を中心として）で湾曲されており、第１のストラットはそれぞれ中央軸を通って延在する半径と、０度超の角度を成すと理解される。好ましくは第１のストラットはそれぞれ、交互に変化する角度により非半径方向に配向されており、骨組み状（ないし格子組み状  fachwerkartig）の構造を形成する。
【００１８】
さらに好ましくは補強ストラットは、半径方向に配向された複数の第２のストラットを有する。半径方向の配向とは、ここではセグメント薄板の中央軸に関連して理解される。
【００１９】
特に好ましい一実施形態では、それぞれ隣接する（複数の）第１のストラットは互いに角度を成して配向されており、貫通開口部は、それぞれ隣接する２つの第１のストラットの伸長方向の交点にそれぞれ存在する。言い替えると、貫通開口部は、隣接する第１のストラット（複数）の間の角度の角度原点に存在する。
【００２０】
さらなる好ましい一実施形態では、第２のストラットは、中央軸の方向ないしセグメント薄板の半径方向内側の方向に先細に構成されている。
【００２１】
好ましくは第１と第２のストラットは、少なくともいくつかの第１と第２のストラットが互いに合流するように、または互いに交差するように構成されている。このようにして骨組み状の支持構造体が実現され、この支持構造体は、小さな重量を高い機械的な耐荷重性と結び付ける。
【００２２】
とりわけ、ストラットの間に切欠部（複数）が形成されている実施形態では、ストラットは同時に冷却リブとして、切欠部は冷却チャネルとして作用する。これにより、ステータ巻線を収容する溝から機械支持体の方向への改善された熱放出が達成される。
【００２３】
本発明を上記では、セグメント薄板を参照して説明した。しかしさらなる視点において本発明は、風力発電装置のためのステータ薄板積層体にも関する。本発明は、（第２の視点において）その基礎となる課題を、このようなステータ薄板積層体において、これを請求項１０の特徴により構成することによって解決する。本発明は、ステータ薄板積層体が複数のセグメント薄板を有することを提案する。ここで複数のセグメント薄板は一平面内に、これらが共に１つの薄板リングを形成するように互いに配置されており、複数のセグメント薄板は、形成された薄板リングにおいて、これらが共にステータ薄板積層体を形成するように積層される。ここでステータ薄板積層体は第１の半径方向部分を有し、この第１の半径方向部分にはステータ巻線を受け入れるための複数の溝が設けられており、前記溝は、セグメント薄板に設けられた切抜部によって形成されており、第１の半径方向部分に隣接して第２の半径方向部分を有し、この第２の半径方向部分は発電機の磁気ヨークを形成する。第２の半径方向部分に隣接してステータ薄板積層体は第３の半径方向部分を有し、この第３の半径方向部分は発電機のステータ支持構造体を形成する。
【００２４】
本発明は、セグメント薄板（複数）が前記好適な実施形態のいずれか１つにしたがって構成されていることによってさらに形成される。
【００２５】
本発明を上記のように、ステータ薄板積層体をさらに参照して説明したので、以下では本発明による発電機について説明する。
【００２６】
本発明の（第３の視点において）発電機は、冒頭に示した基礎となる課題を、発電機が請求項１２の特徴にしたがって構成されていることによって解決する。
【００２７】
したがって本発明は、風力発電装置の発電機、とりわけ緩慢に回転する同期型再生式発電装置（Regenerator）を提案する。これは、発電機ステータ、発電機ステータに対して相対的に回転可能に支承された発電機ロータ、および発電機ステータを風力発電装置に固定するための機械的支持体を有し、発電機ステータは少なくとも１つのステータ薄板積層体を有し、このステータ薄板積層体には複数の溝が設けられており、溝にはステータ巻線が収容されている。発電機ステータは、前記好ましい実施形態の１つにしたがって構成された少なくとも１つのステータ薄板積層体を有し、対応して本発明のセグメント薄板を含む。緩慢に回転する発電機とは、本発明では、５０回転／分以下の公称（定格）回転数の発電機であると理解される。
【００２８】
最後に本発明は、さらなる一視点において、風力発電装置、とりわけ変速ギヤレス型風力発電装置に関し、風力発電装置は、タワー、タワー上に回転可能に配置されたナセル、ナセルに配置された機械的支持体、複数のロータブレード、とりわけ３つのロータブレードを備え、かつナセルに回転可能に支承されたハブ、および電気エネルギーを提供するための発電機を有し、発電機は、ハブと接続された発電機ロータ、および機械支持体と接続された発電機ステータを有する。
【００２９】
本発明の風力発電装置は、その基礎となる課題を、発電機が前述の好ましい実施形態の１つにしたがって構成されていることにより解決する。
【００３０】
発電機は好ましくは、内部回転子型発電機または外部回転子型発電機のいずれかとして構成されている。発電機が内部回転子型発電機の場合、ステータ薄板積層体ないしセグメント薄板の第１の半径方向部分は半径方向で内側のリング領域であり、これに対して第３の半径方向部分は半径方向で外側のリング領域である。外部回転子型発電機では、ちょうどその反対である。
【００３１】
本発明を、以下、添付図面を参照し、好ましい一実施例に基づいて詳細に説明する。
【図面の簡単な説明】
【００３２】
【図１】一風力発電装置の概略的斜視図である。
【図２】図１の風力発電装置のナセルの概略的部分切開図である。
【図３】図２の一部分の拡大図である。
【図４】図１から３の風力発電装置の発電機のステータ薄板積層体のためのセグメント薄板の概略的平面図である。
【実施例】
【００３３】
図１は、タワー１０２とナセル１０４を備える一風力発電装置１００を示す。ナセル１０４には、３つのロータブレード１０８とスピナ１１０を備えるロータ１０６が配置されている。ロータ１０６は、運転中、風により回転運動され、これによりナセル１０４内の発電機１（図２）を駆動する。
【００３４】
ナセル１０４は、図２には断面図として図示されている。ナセル１０４は、回転可能にタワー１０２に取り付けられており、アジマス駆動部１１２によって一般的に公知のように駆動接続されている。ナセル１０４には機械支持体１１０が公知のように配置されており、機械支持体は軸ジャーナル１１４を支持する。
【００３５】
発電機１は発電機ステータ５を有し、この発電機ステータは、軸ジャーナル１１４によってナセル１０４内で機械支持体１１０に固定されている。本発明により排除されない別の構成可能性では、発電機ステータ５を機械支持体１１０に直接、またはナセル１０４の相応の構成部材に接続する。
【００３６】
図２の発電機１は、外部回転子として構想設計された発電機ロータ３を有する。本発明の範囲から排除されない代替の構成可能性では、例えば内部回転子として構成された発電機ロータを設けることもできる。
【００３７】
発電機ロータ３は、ハブ１０６と相対回動不能に接続されている。発電機ステータ５の詳細な構造は図３に示されている。発電機５はステータリング９を有する。ステータリング９の外側において、リングスリットによりこれから離間して発電機ロータ３が回転する。ステータリング９は、２つの支持リング７によってステータ受け部に固定されている。ステータ受け部は、さらに軸ジャーナル１１４にねじ留めされている。機械支持体におけるステータ５のための別の固定可能性も同様に本発明の範囲内である。
【００３８】
支持リング７は、比較的薄肉の薄板であり、ステータリング９の荷重負荷能力および機械的剛性に実質的に影響を与えない。その代わりにステータリング９は自立式に設計されている。
【００３９】
ステータリング９は複数のセグメント薄板１１から形成されており、これらセグメント薄板は薄板リング１２に互いに整列されており、少なくとも１つのステータ薄板積層体１０が形成されるように互いに積層される。
【００４０】
本発明による一セグメント薄板の構造が図４に示されている。
【００４１】
図４に示したセグメント薄板１１は、薄板本体１３を有する。セグメント薄板１１はリングセグメント形状に構成されている。すなわち、中央軸（図示せず）を中心に湾曲された円弧形状の経過を有する。セグメント薄板１１は、図４では外部回転子（形式の発電機）のためのセグメント薄板として図示されており、第１の半径方向部分１５を有し、これには複数の切抜部２１が設けられている。切抜部２１は、ステータ巻線を受け入れるように構成されている。
【００４２】
第１の半径方向部分１５に隣接してセグメント薄板１１は第２の半径方向部分１７を有する。この第２の半径方向部分は、発電機ステータ５（図１から３）の磁気ヨークのセグメント（円弧部分）を形成する。
【００４３】
磁気ヨークは、磁気的帰還回路（magnetischer Ruecken）とも称される。第２の半径方向部分１７に隣接してセグメント薄板１１の構造は、第３の半径方向部分１９だけ拡張されている。第３の半径方向部分１９は、緊張手段を貫通案内するために複数の貫通開口部２３を有する。前記緊張手段は、例えばねじ付きロッド、ネジ、緊張ワイヤ等である。
【００４４】
第３の半径方向部分１９内には複数の補強ストラット２４，２５が配置されており、これらの補強ストラットはセグメント薄板１１を補強し、取り付け状態でステータ薄板積層体１０並びにステータリング９を補強して、これ自体に荷重負荷能力を与える（耐荷重性にする）。補強ストラット２４，２５は複数の第１のストラット２４を有し、これらは非半径方向（半径方向に交叉する方向）に配向されている。第１のストラット２４は、それぞれ半径Ｒ１，Ｒ２と角度α、βを成す。角度αは、角度βと等しい値にすることができる。
【００４５】
第２のストラット２５は、第１のストラット２４とは異なり半径方向に配向されている。好ましくは第２のストラット２５は、（図示しない）中央軸線の方向に先細になっている。第２のストラット２５には、少なくとも１つの第１のストラット２４に合流する少なくともいくつかのストラット２５ｂと、それぞれ少なくとも１つの第１のストラット２４と交差するいくつかのストラット２５ｃが含まれる。
【００４６】
特に好ましい一構成では、ストラット２４，２５は、本体薄板１３から複数の切抜部２７を打ち抜くことにより形成されている。好ましくは切抜部２１も、貫通開口部２３および（ストラット間の）切抜部２７も、本体薄板１３からの打ち抜きによって切り取られている。
【００４７】
貫通開口部２３は、好ましくはストラット２４の角度α、βの角度原点にあるか、あるいはそれぞれ隣接する２つの第１のストラット２４の伸長方向（延長線）の交点と一致して配向されている。
【００４８】
図１から４に示された構成は、外部回転子を備える発電機１を明示的に意図したものであるが、前に外部回転子を参照して説明したのと同じ基本原理にしたがう、内部回転子を備える発電機も本発明の範囲内に同様に含まれるものと理解されるべきである。しかしこの場合、ステータ巻線を受け入れるための切抜部２１を有する第１の半径方向部分１５は、半径方向外側ではなく、半径方向内側としてセグメント薄板１１に配置される。第２および第３の半径方向部分に対しても相応のことが当てはまる。
【００４９】
以下に本発明の可能な形態を示す。
（形態１）
第１の視点のとおり。
（形態２）
前記第３の半径方向部分内には複数の補強ストラットが形成されており、前記補強ストラットは、圧力、引張力およびせん断応力を吸収するように構成されている、好ましくは形態１に記載のセグメント薄板。
（形態３）
前記第３の半径方向部分内には複数の貫通開口部が形成されており、当該貫通開口部は、対応する緊張要素を貫通案内するように構成されている、好ましくは形態１または２に記載のセグメント薄板。
（形態４）
前記第３の半径方向部分内には複数の材料薄化部または材料切抜部が、補強ストラットの間に配置されている、好ましくは形態１から３のいずれか一に記載のセグメント薄板。
（形態５）
前記補強ストラットは、非半径方向に配向された複数の第１のストラットを有する、好ましくは形態２から４のいずれか一に記載のセグメント薄板。
（形態６）
前記補強ストラットは、半径方向に配向された複数の第２のストラットを有する、好ましくは形態２から５のいずれか一に記載のセグメント薄板。
（形態７）
それぞれ隣接する第１のストラットは、互いに角度を成して配向されており、
前記貫通開口部は、それぞれ隣接する２つの第１のストラットの伸長方向の交点にそれぞれ配置されている、好ましくは形態５または６に記載のセグメント薄板。
（形態８）
前記第２のストラットは、セグメント薄板の半径方向内側の方向に先細に構成されている、好ましくは形態６または７に記載のセグメント薄板。
（形態９）
第１と第２の補強ストラットの少なくともいくつかは、互いに合流するか、または互いに交差するよう構成される、好ましくは形態６から８のいずれか一に記載のセグメント薄板。
（形態１０）
第２の視点のとおり。
（形態１１）
前記セグメント薄板は、好ましくは形態１から９のいずれか一に従い構成されている、形態１０に記載のステータ薄板積層体。
（形態１２）
第３の視点のとおり。
（形態１３）
第４の視点のとおり。
【手続補正３】
【補正対象書類名】図面
【補正対象項目名】図３
【補正方法】変更
【補正の内容】
【図３】
2019527026.tif 000007
【手続補正４】
【補正対象書類名】図面
【補正対象項目名】図４
【補正方法】変更
【補正の内容】
【図４】
2019527026.tif 000008
【国際調査報告】
2019527026.tif 000009
2019527026.tif 000010
2019527026.tif 000011
2019527026.tif 000012
2019527026.tif 000013
2019527026.tif 000014